(57)【要約】      （修正有）【課題】簡単な操作で径の異なるボルトやナットに対応できるレンチを提供する。【解決手段】口径部２に径の異なるボルト・ナットに応じたソケット５を着脱自在に取り替えするための取替手段６を備える。この取替手段６は、口径部２の径方向に貫通されたネジ孔等の連通孔と、該連通孔に挿着されて前記口径部２内のソケット５を締緩せしめるネジ等の止着部材とから構成され、口径部２内にソケット５を嵌合した状態で、止着部材を締結・弛緩するだけの簡単操作で、ソケット５を簡単に取り替えできるため、異径の高力ボルト、例えば、Ｍ１６、Ｍ２０、Ｍ２２、Ｍ２４の締付作業が一本のレンチで可能になるのである。グリップ１の長さを調整したい場合は、必要に応じて延長部材３を着脱できる。【選択図】図１
0003147436.tif 000002
【実用新案登録請求の範囲】
【請求項１】
所定大きさのグリップと、該グリップの少なくとも一端にボルト・ナットを嵌合せしめるリング状の口径部とを備えてなるメガネレンチにおいて、
前記口径部は、径の異なるボルト・ナットに応じたソケット及び／又は該ソケットを着脱自在に取り替えるための取替手段を備えたことを特徴とするメガネレンチ。
【請求項２】
前記取替手段は、前記口径部の径方向に貫通された連通孔と、該連通孔に挿着されて前記口径部内のソケットを締緩せしめる止着部材とを備えたことを特徴とする請求項１に記載のメガネレンチ。
【請求項３】
前記グリップ及び／又は口径部は、チタン等の金属材から成形されており、同グリップの遊端側に着脱自在に取り付けられる延長部材を備えたことを特徴とする請求項１に記載のメガネレンチ。
【考案の詳細な説明】
【技術分野】
【０００１】
本考案は、主として異径の高力ボルトの締付作業を一本のレンチで行うことができるのみならず、必要に応じてグリップの長さを延長することができる超軽量で作業性の良いメガネレンチに関する。
【背景技術】
【０００２】
従来、斯かるメガネレンチとしては、所定大きさのグリップと、該グリップの遊端にボルト・ナットを嵌合せしめるリング状の口径部とを備えており、ボルトの２面に力を掛けてボルトを締緩するスパナよりも、ボルトを舐める心配が少なく大きなトルクが掛けられるため、固く締まったボルトを緩めたり、逆に最後にトルクを掛けてしっかり締めるのに使用されている(特許文献１参照)。
【特許文献１】実開平７−１５２６７号公報
【考案の開示】
【考案が解決しようとする課題】
【０００３】
しかしながら、上述した従来のメガネレンチにはあっては、口径部が一定の寸法であるため、径の異なるボルトやナットには対応できず、何種類もの異径レンチを予め揃えておかなければならないといった問題があり、また、使用する場所にあっては、グリップが短くて上手く作業できないため、全体をして軽量で、かつ、簡単にグリップを延長することができるメガネレンチが要望されている。
【０００４】
本考案はこのような従来の問題点及び要望に鑑みてなされたもので、径の異なる複数のボルト・ナットの締付作業を一本のレンチで行うことができると共に、必要に応じてグリップを延長することができるなど、超軽量で作業性の良いメガネレンチの提供を目的としたものである。
【課題を解決するための手段】
【０００５】
上述の如き従来の問題点を解決し、所期の目的を達成するため本考案の要旨とする構成は、所定大きさのグリップと、該グリップの少なくとも一端にボルト・ナットを嵌合せしめるリング状の口径部とを備えてなるメガネレンチにおいて、前記口径部は、径の異なるボルト・ナットに応じたソケット及び／又は該ソケットを着脱自在に取り替えするための取替手段を備えたメガネレンチに存する。
【０００６】
また、前記取替手段は、前記口径部の径方向に貫通された連通孔と、該連通孔に挿着されて前記口径部内のソケットを締緩せしめる止着部材とを備え、延いては、前記グリップ及び／又は口径部はチタン等の金属材料から成形されており、同グリップの遊端側に着脱自在な延長部材を備えるのが良い。
【考案の効果】
【０００７】
本考案は上述のように構成され、前記口径部は、径の異なるボルト・ナットに応じたソケット及び／又は該ソケットを着脱自在に取り替えするための取替手段を備えたことによって、径の異なる複数のボルト・ナットの締付作業を一本のレンチで簡単に行うことができるといった効果を奏する。
【０００８】
また、前記取替手段が、口径部の径方向に貫通された連通孔と、該連通孔に挿着されて前記口径部内のソケットを締緩せしめる止着部材とを備えたことによって、止着部材の締結・弛緩操作だけの操作で、ソケットの入れ替えを簡単かつコンパクトに行うことができるといた効果を奏する。
【０００９】
更に、前記グリップ及び／又は口径部はチタン等の金属材料から成形されていることによって、超軽量で、かつ、堅固であるため、持ち運びに便利であり、また、同グリップの遊端側に着脱自在に取り付けられる延長部材を備えたことによって、必要に応じて簡単にグリップを延長することができるため、作業性を高めることができるといった効果を奏する。
【００１０】
このように本考案のメガネレンチは、一本で径の異なる複数のボルト・ナットの締付作業を行うことができると共に、全体をして超軽量で作業性が良く、また、構成が単純であるため大量生産に適し、価格も低廉なものとして需要者に提供できるなど、本考案を実施することはその実益的価値が甚だ大である。
【考案を実施するための最良の形態】
【００１１】
所定大きさのグリップと、該グリップの少なくとも一端にボルト・ナットを嵌合せしめるリング状の口径部とをチタンで一体成形し、前記口径部には、径の異なるボルト・ナットに応じたソケットを着脱自在に取り替えするための取替手段を備える。また、取替手段は、前記口径部の径方向に貫通された連通孔と、該連通孔に挿着されて前記口径部内のソケットを締緩せしめる止着部材とを備え、かつ、グリップの遊端側に着脱自在に取り付けられる延長部材を備えるのが良い。
【実施例１】
【００１２】
次に、本考案に係るメガネレンチの実施の一例を図面を参照しながら説明する。図中Ａは、本考案に係るメガネレンチであり、このメガネレンチＡは、所定大きさのグリップ１と、該グリップ１の一端にリング状の口径部２とを備えている。
【００１３】
前記グリップ１及び口径部２は、チタン等の金属材にて成形されており、グリップ１の遊端側に着脱自在に取り付けられる延長部材３を備えている。
【００１４】
延長部材３は、グリップ１の遊端側を被装すべく中空状に成形されており、ロック部材４にてグリップ１に抜止状態に連結されている。
【００１５】
前記口径部２は、径の異なるボルト・ナットに応じたソケット５，５…を着脱自在に取り替えするための取替手段６を備えている。この取替手段６は、前記口径部２の径方向に貫通されたネジ孔等の連通孔(図示せず)と、該連通孔に挿着されて前記口径部２内のソケット５を締緩せしめるネジ等の止着部材とから構成されている。
【００１６】
このように構成される本考案のメガネレンチは、口径部２内に使用するソケット５を嵌合した状態で、前記ネジ等の止着部材を締結するだけの簡単操作で、ソケット５，５…を簡単に取り替えできるため、異径の高力ボルト、例えば、図５に示すように、Ｍ１６(Ｈ２７)、Ｍ２０(Ｈ３２)、Ｍ２２、Ｍ２４（Ｈ４１）の締付作業が一本のレンチで可能になるのである。
【００１７】
また、グリップ１が短くて上手く作業できない場合は、必要に応じてグリップ１に延長部材３を取り付けるだけで、簡単にグリップ１を延長することができ、また、短く使用したい時は、同延長部材３を取り外すだけでコンパクトに使用できるため、使用場所に応じた作業性の良いメガネレンチを提供できるのである。
【００１８】
尚、本考案のメガネレンチＡは、本実施例に限定されることなく、本考案の目的の範囲内で自由に設計変更し得るものであり、本考案はそれらの全てを包摂するものである。例えば、本実施例では、前記取替手段６として、ネジ孔等の連通孔とネジ等の止着部材を採用しているが、これに限定されることなくソケット５を着脱・保持できるものであれば、バネ等の加圧機構、圧着機構、結束機構等の如何なる取替手段を用いても良い。
【００１９】
また、本実施例では、グリップ１に対して延長部材３が抜け止め状態に連結されているが、これに限定されることなく、同グリップ１に対し長さ調整自在（伸縮自在）に組み合わせても良いものである。  
【図面の簡単な説明】
【００２０】
【図１】本考案に係るメガネレンチを示す側面図である。
【図２】同メガネレンチの正面図である。
【図３】同メガネレンチの平面図である。
【図４】同メガネレンチの底面図である。
【図５】図５(ａ)本実施例で使用するソケット(Ｍ１６，Ｈ２７)の説明図、図５(ｂ)はソケット(Ｍ２０，Ｈ３２)の説明図、図５(ｃ)はソケット(Ｍ２４，Ｈ４１)の説明図である。
【符号の説明】
【００２１】
１  グリップ
２  口径部
３  延長部材
４  ロック部材
５  ソケット
６  取替手段
【図１】
0003147436.tif 000003
【図２】
0003147436.tif 000004
【図３】
0003147436.tif 000005
【図４】
0003147436.tif 000006
【図５】
0003147436.tif 000007